(57)【要約】      （修正有）【課題】肩叩きなどの健康器具において、従来の意ものは、心地よさや叩き易さの点などにおいて、使用者の要求を未だ満たしていない。【解決手段】握り部２と、握り部に接続する連結部３と、連結部に接続する作用部４と、を備える健康器具１であって、前記作用部は、可撓性のある中空部材で形成され、周辺より肉厚で隆起した肉厚部５を有することを特徴とすることにより、これまでに無い心地よさや叩き易さを備える健康器具を提供する。【選択図】図１
2018143651.tif 000002
【特許請求の範囲】
【請求項１】
握り部と、
前記握り部に接続する連結部と、
前記連結部に接続する作用部と、を備え、
前記作用部は、可撓性のある中空部材で形成され、周辺より肉厚で隆起した肉厚部を
複数有する
ことを特徴とする健康器具。
【請求項２】
前記肉厚部の断面形状は、角が丸い三角形状である
ことを特徴とする請求項１に記載の健康器具。
【請求項３】
前記肉厚部は、頂点付近とその周辺とで厚さが異なる
ことを特徴とする請求項１または２に記載の健康器具。
【請求項４】
前記肉厚部は、傾斜角が異なる二つの斜面を有する
ことを特徴とする請求項１〜３のいずれか一項に記載の健康器具。
【請求項５】
前記肉厚部は、裏面に凹みを備える
ことを特徴とする請求項１〜４のいずれか一項に記載の健康器具。
【請求項６】
前記肉厚部は、裏面に凸部を備える
ことを特徴とする請求項１〜５のいずれか一項に記載の健康器具。
【請求項７】
前記肉厚部は、ほぼ平らな斜面を有する
ことを特徴とする請求項１〜６のいずれか一項に記載の健康器具。
【請求項８】
前記肉厚部は、線状に隆起したリブであり、短手方向の断面において二つの凸部を有する形状をなしている
ことを特徴とする請求項１に記載の健康器具。
【請求項９】
前記肉厚部は、細長く隆起したリブであり、幅が広い部分と、幅が狭い部分があり、幅が広い部分の方が厚い
ことを特徴とする請求項１に記載の健康器具。
【請求項１０】
前記作用部は、内部の空気が密封されている
ことを特徴とする請求項１〜９のいずれか一項に記載の健康器具。
【請求項１１】
前記作用部は、前記連結部との取付け部付近に向かい徐々に厚みが増す部分を有する
ことを特徴とする請求項１〜１０のいずれか一項に記載の健康器具。
【請求項１２】
前記作用部に挿入された前記連結部は、先端が先細り形状をなしている
ことを特徴とする請求項１〜１１のいずれか一項に記載の健康器具。
【請求項１３】
前記連結部は、複数のくびれを備え、しなる素材で形成されている
ことを特徴とする請求項１〜１２のいずれか一項に記載の健康器具。
【請求項１４】
前記連結部は、前記作用部の内部空間と空間的に繋がる中空部分を備える
ことを特徴とする請求項１〜１３のいずれか一項に記載の健康器具。
【発明の詳細な説明】
【技術分野】
【０００１】
本発明は健康器具に関する。
【背景技術】
【０００２】
従来から、身体への心地よい衝撃を実現するために、部材の可撓性を利用した肩叩きなどの健康器具がある。可撓性によるしなりを利用して、作用部が身体に当たるときの強さを適度に保とうとしている（特許文献１、２）。
【０００３】
また、作用部に凸部を設けることで、凸部に圧力を集中させ、ツボなどを局所的に強く押すこと可能とした肩たたき具がある（特許文献３）。
【先行技術文献】
【特許文献】
【０００４】
【特許文献１】特開２０１０―９９２６４号公報
【特許文献２】特開２００５−５８７２１号公報
【特許文献３】特開平８−７２１６９号公報
【発明の概要】
【発明が解決しようとする課題】
【０００５】
しかし、従来の叩き具では、心地よさや叩き易さの点などにおいて、使用者の要求を未だ満たしていない。
【０００６】
本願発明は、これまでに無い心地よさや叩き易さを備える健康器具を提供することを目的とする。
【課題を解決するための手段】
【０００７】
本発明は、上記課題の少なくとも１つを解決するものであるが、その例を挙げるならば、次の通りである。すなわち、本発明の健康器具は、握り部と、前記握り部に接続する連結部と、前記連結部に接続する作用部と、を備え、前記作用部は、可撓性のある中空部材で形成され、周辺より肉厚で隆起した肉厚部を複数有することを特徴とする。
【０００８】
前記肉厚部の断面形状は、角が丸い三角形状であってもよい。
【０００９】
前記肉厚部は、頂点付近とその周辺とで厚さが異なっていてもよい。
【００１０】
前記肉厚部は、傾斜角が異なる二つの斜面を有してもよい。
【００１１】
前記肉厚部は、裏面に凹みを備えていてもよい。
【００１２】
前記肉厚部は、裏面に凸部を備えていてもよい。
【００１３】
前記肉厚部は、ほぼ平らな斜面を有してもよい。
【００１４】
前記肉厚部は、線状に隆起したリブであり、短手方向の断面において二つの凸部を有する形状をなしていてもよい。
【００１５】
前記肉厚部は、細長く隆起したリブであり、幅が広い部分と、幅が狭い部分があり、幅が広い部分の方が厚いようにしてもよい。
【００１６】
前記作用部は、内部の空気が密封されていてもよい。
【００１７】
前記作用部は、連結部との取付け部付近に向かい徐々に厚みが増す部分を有してもよい。
【００１８】
前記作用部に挿入された前記連結部は、先端が先細り形状をなしていてもよい。
【００１９】
前記連結部は、複数のくびれを備え、しなる素材で形成されていてもよい。
【００２０】
前記連結部は、前記作用部の内部空間と空間的に繋がる中空部分を備えていてもよい。
【図面の簡単な説明】
【００２１】
【図１】実施形態１に係る健康器具を説明するための図である。
【図２】実施形態１に係る健康器具を説明するための図である。
【図３】実施形態１に係る健康器具の肉厚部を説明するための図である。
【図４】実施形態１の変形例に係る健康器具を説明するための図である。
【図５】実施形態１に係る健康器具の肉厚部の変形例を説明するための図である。
【図６】実施形態１に係る健康器具の肉厚部の変形例を説明するための図である。
【図７】実施形態１に係る健康器具の肉厚部の変形例を説明するための図である。
【図８】実施形態１に係る健康器具の肉厚部の変形例を説明するための図である。
【図９】実施形態２に係る健康器具を説明するための図である。
【図１０】実施形態２に係る健康器具の肉厚部の変形例を説明するための図である。
【図１１】実施形態３に係る健康器具を説明するための図である。
【図１２】実施形態４に係る健康器具を説明するための図である。
【図１３】肉厚部の変形例を説明するための図である。
【図１４】肉厚部の変形例を説明するための図である。
【発明を実施するための形態】
【００２２】
以下、図面を参照して本願に係る健康器具の実施形態の例を説明する。なお、下記のいくつかの実施形態の説明では、同一の構成要素については、説明を省略することがある。
【００２３】
＜実施形態１＞
図１及び図２は実施形態１に係る健康器具１を説明するための図であり、図１は健康器具１の全体を示す図、図２は使用時に作用部が曲がった状態と示す図である。
【００２４】
健康器具１は、握り部２と、連結部３と、肉厚部５を有する作用部４と、を有する。
【００２５】
握り部２は、使用者が握り持つ部分である。握り部２は、断面円形状の棒状部材である。握り部２は、作用部４から離れる方向にいくにつれ、徐々に太くなるように形成されている。使用者の叩く動作により、手から抜け出す方向に遠心力が働くが、徐々に太くすることで、使用者の手から抜け出すことを防止することができる。さらに表面には滑り防止効果として、筋目や編み目などの模様を設けることでさらに握りやすく、抜けだしにくくすることができる。
【００２６】
握り部２の末端には、孔の開いた紐掛け部２２が設けられている。
【００２７】
連結部３は、両端で、握り部２と作用部４とに接続し、両者を連結する部分である。連結部３は、断面円形状の棒状の部材であり、握り部２の一端から延び、先細りの円錐形状の円錐先端部３７を有する。連結部３は、しなりのある弾性の部材で形成されている。
【００２８】
連結部３は、径が小さくなっている複数（例えば３つ）のくびれ部（節）３２、３３、３４を有する。くびれ部３２、３３、３４は、連結部３の柔軟性を高めるために設けられている。くびれ部３２、３３、３４を設けることで、図２に示すように、使用者が叩く動作をする際に、連結部３の強度を保ちながら調度良くしならせることができる。
【００２９】
くびれ部３２、３３、３４は、作用部４に近づくにつれて、その幅が大きくなっている。これにより、作用部４に近い部分ほど、曲がりの程度を大きくし、より使い勝手が良くなる。
【００３０】
作用部４は、健康器具１で身体を叩く場合に、身体に触れる部分である。作用部４は、シリコン樹脂、ゴムなどの、弾性、可撓性の中空部材で構成される。作用部４は、いずれの方向からでも叩けるように、中心線に対して対象な卵形状である。作用部４は、握り部２の方向に、開口４１を備え、開口４１からつながる管状部４２を有する。連結部３の円錐先端部３７が作用部４の中に収まるように、管状部４２は、連結部３に嵌っている。
【００３１】
なお、「可撓性」と記載した場合には、力が加わると変形する性質の他、弾性を備え、作用した力から開放されると元の形状に戻る性質も含む場合がある。
【００３２】
管状部４２は、連結部３に嵌っている部分から、肉厚部５の形成領域（「作用領域」ともいう）４５にかけて、徐々に薄くなっている。すなわち、嵌り部分では、作用部４の材質の弾性力により、連結部３にしっかりと嵌って固定され、身体に当たる領域では、柔らかな感触を与えるように形成されている。
【００３３】
連結部３の円錐先端部３７は、先細り形状であり、かつ、管状部４２が、作用領域４５に向かい徐々に広がる形状である。この形状により、作用部４が首元（管状部４２の開口４１に近い部分）から極端に繰り返し曲がってしまうこと防ぎ、早期に劣化するのを防止することができる。すなわち、図２に示すように、使用時に作用部４が曲がって変形する場合に、管状部４２が、徐々に円錐先端部３７に当たるため、首元からの急激に曲がることがない。
【００３４】
また、作用部４は、中空であり、開口４１が連結部３に封止されているため、内部の気体（空気）が密封されている。これにより、空気を入れたゴムボールのように、弾性素材の作用部４が押圧により変形しても、直ぐに元の形状に戻る。また、叩く際に内部の空気の弾性により適度な反発力を生じる。
【００３５】
作用部４は、健康器具１を使用したときに身体に主に当たる部分である作用領域４５に、周辺の素地４３の肉厚よりも厚く形成された肉厚部５が複数形成されている。肉厚部５は、素材が塊状となっており、イボ状に外方向に隆起している。肉厚部５は、局所的な押圧を達成する部位であり、「効果点」、「局所押圧点」とも言う。
【００３６】
なお、ここでは、連結部３と、肉厚部５を有する作用部４との連結方法は、はめ込み式としているが、これに限られない。連結部３の先端の外側ネジ（雄ネジ）を形成し、作用部４の首元（管状部４２の開口４１に近い部分）の内側にネジ（雌ネジ）を形成し、螺合させて取り付けてもよい。または、連結部３の先端の外側に雄ネジを形成し、これに螺合する穴あきキャップを用いてもよい。すなわち、穴あきキャップの貫通孔に作用部４の首元を通し、穴あきキャップのリング状の縁と連結部３とで、開口４１付近を挟み込み、開口４１を封止し、作用部４を連結部３に取り付けるようにしてもよい。
【００３７】
図３は、肉厚部５の断面の拡大図である。図３（ａ）は、初期状態を示し、図３（ｂ）は、身体に押し当てた時の状態を示す。
【００３８】
肉厚部５は、真上から見ると、頂点部分から徐々に広がるしずく形状（言い換えれば、丸角の三角形状）をなしている。また、肉厚部５の断面は、角が丸い三角形状である。
【００３９】
肉厚部５は、頂点５３を挟んで、ほぼ平らで緩やかな斜面５２と、急な斜面５１とを有する。
【００４０】
肉厚部５を山と捉えるならば、頂点５３から、末広がりに、傾斜角θ２でなだらかに下り、ふもとに至る。反対方向には、頂点５３から、傾斜角θ１で急に下りふもとに至る。すなわち、傾斜角θ２＜傾斜角θ１である。また、頂点５３の裏側に、素地４３の内壁の延長線（中空ライン）より凹んだ凹み５６を有する。
【００４１】
肉厚部５の大きさは、例えば、幅Ｗは、５ｍｍ〜４５ｍｍであり、好ましくは１０ｍｍ〜２５ｍｍであり、長さＬは、８ｍｍ〜６０ｍｍであり、好ましくは１２ｍｍ〜５０ｍｍである。高さは、４．５ｍｍ〜１５ｍｍである。ここで幅Ｗは、肉厚部５を真上から見たときに二等辺三角形と見做した場合の、底辺の長さであり、長さＬは、二等辺三角形の高さに相当する。
【００４２】
最も肉厚な部分の厚さは、例えば、４．５ｍｍ〜１６ｍｍとすることができ、周辺の素地の３倍〜１５倍、好ましくは４倍〜１０倍である。
【００４３】
このような形状によれば、図３（ｂ）に示すように、使用者の身体に押し当てたときに、凸状の肉厚部５に圧力を集中させて身体を押圧することができる。一方で、可撓性素材により、肉厚部５は、緩やかな斜面５２のふもとの一辺を回転軸Ｄとして、傾斜面５１の近傍が凹み、作用部４の内部の方向Ｅに回転することになる。これにより、肉厚部５の位置がずれ、強すぎる押圧力を適度に逃がし、心地よい押圧が可能となる。肉厚部５は、素材の塊であるため、周囲の素地４３に比べ一定の硬さがあるため、凹んだあとでも、身体を局所的に押圧でき、心地よいマッサージ感を実現することができる。
【００４４】
なお、図１に示すように、作用部４には、頂点の位置がずれて二つの傾斜角θ１、θ２が異なる肉厚部５に加えて、二つの傾斜角が同じ対象形状の肉厚部５ｓが形成されていてもよい。
【００４５】
健康器具１は、身体の一部（ツボなど）を、押圧しながら局所的に保温または冷却したい場合にも有効である。すなわち、作用部４を適温に温めて（または冷却して）使用すれば、周囲の素地４３に比べて塊状である肉厚部５、５ｓは温度を長く保持するので、押圧しながら、局所的に、保温（または冷却）することができる。
【００４６】
さらに、内部にビーズや大豆などの小体を多数詰めたり、水を入れたりしても良く、さらには、これらを温冷しても良いものである。
【００４７】
以上、実施形態１の健康器具１について説明した。健康器具１によれば、連結部３のしなりと、作用部４の弾性により、使用者の振り動作が強すぎる場合でも、衝撃を適度に緩和し、身体への心地よい押圧が可能となる。また、押圧したい部位に対して、全体的に叩いたりすることが可能であるとともに、肉厚部５によって、局所的に強く押すことができ、心地よさが倍増する。作用部４が中空のため、肉厚部５は、強く押されると内側に移動し、押圧力を緩和する一方、塊状の硬さにより、一定の押圧力は残り、心地よいマッサージが可能となる。
【００４８】
実施形態１の健康器具１は、様々な変形が可能である。
【００４９】
例えば、図４に示すように、作用部４の頭頂部に貫通孔４４を設けてもよい。内部の気体を密封しないことで、作用部４が変形して元に戻る力は、素材の復元力のみとなる。作用部４の復元力が弱い方が、身体に当てたときの圧力を弱くすることができるので、身体に過度な衝撃を与えない。使用用途によっては、このような特徴が有利な場合がある。
【００５０】
貫通孔４４に着脱可能な栓を設けてもよい。そうすれば、栓をした場合は、上記健康器具１と同様に復元力の強くなり、叩いたときに衝撃を強くすることができ、栓を外した場合は、衝撃を弱くすることができる。
【００５１】
＜肉厚部の変形例１＞
図５は、上記実施形態１の変形例１にかかる肉厚部５ａの拡大断面図（（ａ）初期状態、（ｂ）押圧時）である。
【００５２】
上記実施形態１の肉厚部５と比較して、裏側の凹み５６が設けられていない。裏側は、素地４３の内壁の延長ライン（中空ライン）と同じである。
【００５３】
かかる肉厚部５ａによれば、身体を押圧した時、肉厚部５ａの急斜面５１ａ側のふもと付近に凹みが発生しつつ、肉厚部５ａは、回転軸Ｄを軸として、頂点５３ａ部分が回転する。実施形態１の肉厚部５のような凹み５６がないので、肉厚部５ａが作用部４の内側へ押し込まれる度合いがより少なく、結果として、身体を押す力が強くなる。
【００５４】
＜肉厚部の変形例２＞
図６は、上記実施形態１の変形例２にかかる肉厚部５ｂの拡大断面図である（（ａ）初期状態、（ｂ）押圧時）。
【００５５】
上記実施形態１の肉厚部５と比較して、裏側に隆起した凸部５７ｂが設けられている。すなわち、肉厚部５ｂは、裏側において、素地４３の内壁の延長ライン（中空ライン）よりも、内側に隆起し、変形例１の肉厚部５ａよりも厚みがより厚くなっている。この厚みがあることにより、使用者の身体に押し当てたとき、肉厚部５ｂが内側に移動して押圧力を逃がしつつ、ツボなどを局所的に押す力を適度に残すことができる。
【００５６】
内側に隆起する部分の厚さは、例えば、２ｍｍ〜７ｍｍである。
【００５７】
または、肉厚部５ｂの最も厚い部分の厚さは、周辺の素地４２ｂの厚さの４倍〜１０倍である。
【００５８】
凸部５７ｂの頂点位置は、外側の頂点５７ａの位置から緩やかな傾斜面５２ｂ側にややずれている。このような形状により、指先の腹で押した様な効果が期待できる。
【００５９】
なお、傾斜面５２ｂの表面に小さないぼ状体（例えば半球状）が複数ついていてもよく、
肌への一段の刺激を与えることが可能となる。
【００６０】
＜肉厚部の変形例３＞
図７は、上記実施形態１の変形例３にかかる肉厚部５ｃの拡大断面図である（（ａ）初期状態、（ｂ）押圧時）。
【００６１】
上記変形例２の肉厚部５ｂと同様に、裏側に隆起した凸部５７ｃが設けられている。すなわち、肉厚部５ｃは、作用部４の表側（外側）において、素地４３の外壁の延長ラインより隆起して頂点５３ｃを有するとともに、裏側において、素地４３の内壁の延長ラインより内側に隆起し、厚みがより厚くなっている。身体に当たる場合、まず頂点５３ｃが押され、続いて肉厚部５ｃの周囲が凹むことで、弾力効果が向上する。肉厚部５ｃに厚みがあることにより、使用者の身体に押し当てたとき、肉厚部５ｃが全体的に内側に移動して押圧力を逃がしつつ、肉厚部５ｃは塊として形状を保つため、ツボなどを局所的に押すことができる。
【００６２】
＜肉厚部の変形例４＞
図８は、上記実施形態１の変形例４にかかる肉厚部５ｄの拡大断面図である。
【００６３】
肉厚部５は、上記の肉厚部５、５ａ、５ｂ、５ｃとは異なり、裏側に隆起した凸部５７ｄのみが設けられている。すなわち、肉厚部５ｄは、作用部４の表側（外側）において、素地４３の外壁の延長ラインと同じであるとともに、裏側において、素地４３の内壁の延長ラインより内側に隆起した凸部５７ｄが形成されており、厚みがより厚くなっている。
【００６４】
肉厚部５ｄは、外側に凸状ではないため、身体の一部に対して強く押圧すのではなく、優しく押したい場合に有効である。この厚みがあることにより、使用者の身体に押し当てたとき、肉厚部５ｄの部分が変形しにくく、一方で、肉厚部５ｄは塊として形状を保つため、局所的に優しく押すことができる。
【００６５】
また、作用部４を温めてまたは冷却して用いれば、塊状の肉厚部５ｄにより、押圧しながら、局所的に、保温または冷却することができる。
【００６６】
さらに、弾性、可撓性の部材の中に金属粉等を封入することで、保温または冷却効果を高められる。
【００６７】
＜実施形態２＞
図９は、実施形態２にかかる健康器具１ｅの外観図である。
【００６８】
健康器具１ｅは、握り部２ｅと、連結部３ｅと、肉厚部５ｅを有する作用部４ｅとを有する。
【００６９】
握り部２ｅは、使用者が握り持つ部分である。握り部２ｅは、断面円形状の棒状部材である。握り部２ｅは、作用部４ｅから離れる方向にいくにつれ、徐々に太くなるように形成されている。使用者の叩く動作により、手から抜け出す方向に遠心力が働くが、徐々に太くすることで、使用者の手から抜け出すことを防止することができる。さらに表面には滑り防止効果として、筋目や編み目などの模様を設けることでさらに握りやすく、抜けだしにくくすることができる。
【００７０】
握り部２ｅの末端には、孔の開いた紐掛け部２２ｅが設けられている。
【００７１】
連結部３ｅは、両端で、握り部２ｅと作用部４ｅとに接続し、両者を連結する部分である。連結部３ｅは、中空円筒状の棒状の部材であり、握り部２ｅの一端から延び、末端に開口３８ｅを有する。連結部３ｅは、しなりのある弾性の部材で形成されている。
【００７２】
作用部４ｅは、健康器具１ｅで身体を叩く場合に、身体に触れる部分である。作用部４ｅは、シリコン樹脂、ゴムなどの、弾性、可撓性の中空部材で構成される。作用部４ｅは、いずれの方向からでも叩けるように、中心線に対して対象な棒形状である。作用部４ｅは、握り部２ｅの方向に、開口４１ｅを備え、開口４１ｅからつながる管状部４２ｅを有する。連結部３ｅの開口３８ｅが作用部４ｅの中に収まるように、管状部４２ｅは、連結部３ｅの端部に嵌っている。
【００７３】
また、作用部４ｅは、中空であり、唯一の開口４１ｅが連結部３ｅに封止されているため、内部の気体（空気）が密封されている。連結部３ｅの内部の空間と、作用部４ｅの内部の空間とが連結し、内部の気体（空気）は密封される。
【００７４】
これにより、弾性素材の作用部４ｅが押圧により変形しても、直ぐに元の形状に戻る。
【００７５】
作用部４ｅは、健康器具１ｅを使用したときに身体に主に当たる部分である作用領域４５ｅに、周辺の素地４３ｅの肉厚よりも厚く形成された肉厚部５ｅが複数形成されている。肉厚部５ｅは、作用部４ｅの長手方向に平行に延びる凸状のリブである。握り部２ｅに近づくにつれて、徐々に先細りとなる形状とすることができる。リブの短手方向の断面図（ｂ−ｂ断面図）に示すように、外方向に隆起し、裏面に凹み５６ｅを有する
以上、実施形態２の健康器具１ｅについて説明した。本健康器具１ｅによれば、肉厚部５ｅにより、身体への心地よい叩きを実現することができる。
【００７６】
＜ｂ−ｂ断面の変形例＞
図１０は、肉厚部５ｅの断面形状の変形例を示す。
【００７７】
図１０（ａ）に示すように、肉厚部５ｆは、断面において平面状の谷部５２ｆを挟んで二つの台状の頂点５３ｆを備え、裏面にわずかな凹み５６ｆを備える形状であってもよい。
【００７８】
また、図１０（ｂ）に示すように、肉厚部５ｇは、断面において、Ｖ字の谷部５２ｇを挟んで二つの頂点５３ｇを備え、裏面にわずかな凹み５６ｇを備える形状であってもよい。
【００７９】
また、図１０（ｃ）に示すように、肉厚部５ｈは、断面において、Ｖ字の谷部５２ｈを挟んで二つの頂点５３ｈを備え、裏面にわずかな凸部５５ｈを挟んで、二つの凹み５６ｈを備える形状であってもよい。
【００８０】
それぞれの形状に応じて、身体を叩いたときの衝撃の吸収の度合いが異なる。使用用途に応じて、いずれかの形状を選択し形成することができる。
【００８１】
また、複数の線状の肉厚部に対して、異なる形状としてもよい。
【００８２】
＜実施形態３＞
図１１は、実施形態３にかかる健康器具１ｉの外観図である。
【００８３】
健康器具１ｉの握り部２ｉと、連結部３ｉは、実施形態２の握り部２ｅ、連結部３ｅと同じである。
【００８４】
作用部４ｉは、実施形態２の作用部４ｅと全体的には類似した形状をしており、異なる点として、半球状に隆起した肉厚部５ｉを複数備える。複数の肉厚部５ｉは、それぞれ大きさが異なってもよい。肉厚部５ｉは、ｂ−ｂ断面図に示すように、周辺の素地より厚く、外方向に隆起し、裏面に凹み５６ｉを有する
実施形態３の健康器具１ｅによれば、肉厚部５ｉにより、身体への心地よい叩きを実現することができる。
【００８５】
＜実施形態４＞
図１２は、実施形態４にかかる健康器具１ｊの外観図である。
【００８６】
健康器具１ｊの握り部２ｊと、連結部３ｊは、実施形態１の握り部２、連結部３と同じである。
【００８７】
作用部４ｊは、ハンマー形状をしている。すなわち、作用部４ｊは、連結部３ｊに接続する部分から、握り部２ｊに対して垂直に両方向に延びた後、両端に半球状の膨張部４５ｊを備え、この膨張部分に、半球状に隆起した肉厚部５ｊを複数備えている。
【００８８】
複数の肉厚部５ｊは、左右の膨張部４５ｊでそれぞれ大きさが異なってもよい。肉厚部５ｊは、実施形態３の肉厚部５ｉと同様に、周囲の素地より厚みが厚く、外方向に隆起し、裏面に凹みを有する
実施形態４の健康器具１ｊによれば、ハンマー形状により叩き動作が容易であり、肉厚部５ｊにより、身体への心地よい叩きを実現することができる。
【００８９】
以上、いくつかの実施形態について説明した。
【００９０】
上記実施形態の構成要素は、適宜、組み合わせることができ、様々な変形が可能である。
【００９１】
例えば、肉厚部は、図１３に示す形状としてもよい。すなわち、肉厚部５ｋは、周辺の素地より厚みが厚く隆起した長細いリブ形状をなし、一端の幅広部５１ｋから徐々に細くなり幅狭部５２ｋに至る。身体に幅広部５１ｋが当たると、広い面積で当たることになり、圧力が緩和した押圧が可能となる。一方、身体に幅狭部５２ｋで当たると、狭い面積で押圧するので、より局所的な押圧が可能となる。すなわち、ひとつの肉厚部５ｋでありながら、辺り処により押圧具合を異ならせることができる。
【００９２】
図１４に示す肉厚部５ｍは、上記の肉厚部５ｋと似た形状を有するが、幅広部５１ｍの厚さが、幅狭部５２ｍの厚さより厚い点がことなる。このような肉厚部５ｍによれば、厚い部分では、変形が少ないので、押す力が大きくなり、叩いた場合に大きな加重が期待できる。
【００９３】
以上、本発明に係る健康器具の実施形態について説明したが、これらは本発明の実施形態の一例に過ぎず、本発明はこれらに限定されるものではない。
【符号の説明】
【００９４】
１、１ａ、１ｉ、１ｊ、１ｅ・・・健康器具
２、２ａ、２ｉ、２ｊ、２ｅ・・・握り部
３、３ａ、３ｉ、３ｊ、３ｅ・・・連結部
４、４ａ、４ｉ、４ｊ、４ｅ・・・作用部
４３  素地
４４  貫通孔
４５ｅ  作用領域
５、５ａ、５ｂ、５ｃ、５ｄ、５ｅ、５ｆ、５ｇ、５ｈ、５ｉ、５ｊ、５ｋ、５ｍ・・・肉厚部
【図１】
2018143651.tif 000003
【図２】
2018143651.tif 000004
【図３】
2018143651.tif 000005
【図４】
2018143651.tif 000006
【図５】
2018143651.tif 000007
【図６】
2018143651.tif 000008
【図７】
2018143651.tif 000009
【図８】
2018143651.tif 000010
【図９】
2018143651.tif 000011
【図１０】
2018143651.tif 000012
【図１１】
2018143651.tif 000013
【図１２】
2018143651.tif 000014
【図１３】
2018143651.tif 000015
【図１４】
2018143651.tif 000016
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
握り部と、
前記握り部に接続する連結部と、
前記連結部に接続する作用部と、を備え、
前記作用部は、可撓性のある中空部材で形成され、周辺より肉厚で隆起した肉厚部を複数有し、さらに開口につながる管状部を有し、
前記開口に前記連結部が嵌っている
ことを特徴とする健康器具。
【請求項２】
前記肉厚部の断面形状は、角が丸い三角形状である
ことを特徴とする請求項１に記載の健康器具。
【請求項３】
前記肉厚部は、頂点付近とその周辺とで厚さが異なる
ことを特徴とする請求項１または２に記載の健康器具。
【請求項４】
前記肉厚部は、傾斜角が異なる二つの斜面を有する
ことを特徴とする請求項１〜３のいずれか一項に記載の健康器具。
【請求項５】
前記肉厚部は、裏面に凹みを備える
ことを特徴とする請求項１〜４のいずれか一項に記載の健康器具。
【請求項６】
前記肉厚部は、裏面に凸部を備える
ことを特徴とする請求項１〜５のいずれか一項に記載の健康器具。
【請求項７】
前記肉厚部は、ほぼ平らな斜面を有する
ことを特徴とする請求項１〜６のいずれか一項に記載の健康器具。
【請求項８】
前記肉厚部は、線状に隆起したリブであり、短手方向の断面において二つの凸部を有する形状をなしている
ことを特徴とする請求項１に記載の健康器具。
【請求項９】
握り部と、
前記握り部に接続する連結部と、
前記連結部に接続する作用部と、を備え、
前記作用部は、可撓性のある中空部材で形成され、周辺より肉厚で隆起した肉厚部を複数有し、さらに開口につながる管状部を有し、
前記開口に前記連結部が嵌っている
ことを特徴とする健康器具であって、
前記肉厚部は、細長く隆起したリブであり、幅が広い部分と、幅が狭い部分があり、幅が広い部分の方が厚い
ことを特徴とする健康器具。
【請求項１０】
前記作用部は、内部の空気が密封されている
ことを特徴とする請求項１〜９のいずれか一項に記載の健康器具。
【請求項１１】
前記作用部は、前記連結部との取付け部付近に向かい徐々に厚みが増す部分を有する
ことを特徴とする請求項１〜１０のいずれか一項に記載の健康器具。
【請求項１２】
前記作用部に挿入された前記連結部は、先端が先細り形状をなしている
ことを特徴とする請求項１〜１１のいずれか一項に記載の健康器具。
【請求項１３】
前記連結部は、複数のくびれを備え、しなる素材で形成されている
ことを特徴とする請求項１〜１２のいずれか一項に記載の健康器具。
【請求項１４】
前記連結部は、前記作用部の内部空間と空間的に繋がる中空部分を備える
ことを特徴とする請求項１〜１３のいずれか一項に記載の健康器具。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
握り部と、
前記握り部に接続する先端が先細り形状をなしている連結部と、
前記連結部に接続する作用部と、を備え、
前記作用部は、可撓性のある中空部材で形成され、周辺より肉厚で隆起した肉厚部を複数有し、さらに開口に向けて窄まる管状部を有し、前記開口に前記連結部が嵌っており、前記連結部の先細りの先端が内部まで侵入している
ことを特徴とする健康器具。
【請求項２】
前記肉厚部の断面形状は、角が丸い三角形状である
ことを特徴とする請求項１に記載の健康器具。
【請求項３】
前記肉厚部は、頂点付近とその周辺とで厚さが異なる
ことを特徴とする請求項１または２に記載の健康器具。
【請求項４】
前記肉厚部は、傾斜角が異なる二つの斜面を有する
ことを特徴とする請求項１〜３のいずれか一項に記載の健康器具。
【請求項５】
前記肉厚部は、裏面に凹みを備える
ことを特徴とする請求項１〜４のいずれか一項に記載の健康器具。
【請求項６】
前記肉厚部は、裏面に凸部を備える
ことを特徴とする請求項１〜５のいずれか一項に記載の健康器具。
【請求項７】
前記肉厚部は、ほぼ平らな斜面を有する
ことを特徴とする請求項１〜６のいずれか一項に記載の健康器具。
【請求項８】
前記肉厚部は、線状に隆起したリブであり、短手方向の断面において二つの凸部を有する形状をなしている
ことを特徴とする請求項１に記載の健康器具。
【請求項９】
握り部と、
前記握り部に接続する連結部と、
前記連結部に接続する作用部と、を備え、
前記作用部は、可撓性のある中空部材で形成され、周辺より肉厚で隆起した肉厚部を複数有し、さらに開口につながる管状部を有し、
前記開口に前記連結部が嵌っている
ことを特徴とする健康器具であって、
前記肉厚部は、細長く隆起したリブであり、幅が広い部分と、幅が狭い部分があり、幅が広い部分の方が厚い
ことを特徴とする健康器具。
【請求項１０】
前記作用部は、内部の空気が密封されている
ことを特徴とする請求項１〜９のいずれか一項に記載の健康器具。
【請求項１１】
前記作用部は、前記連結部との取付け部付近に向かい徐々に厚みが増す部分を有する
ことを特徴とする請求項１〜１０のいずれか一項に記載の健康器具。
【請求項１２】
前記連結部は、複数のくびれを備え、しなる素材で形成されている
ことを特徴とする請求項１〜１１のいずれか一項に記載の健康器具。
【手続補正２】
【補正対象書類名】明細書
【補正対象項目名】０００７
【補正方法】変更
【補正の内容】
【０００７】
本発明は、上記課題の少なくとも１つを解決するものであるが、その例を挙げるならば、次の通りである。すなわち、本発明の健康器具は、握り部と、前記握り部に接続する先端が先細り形状をなしている連結部と、前記連結部に接続する作用部と、を備え、前記作用部は、可撓性のある中空部材で形成され、周辺より肉厚で隆起した肉厚部を複数有し、さらに開口に向けて窄まる管状部を有し、前記開口に前記連結部が嵌っており、前記連結部の先細りの先端が内部まで侵入していることを特徴とする。